(57)【要約】【課題】データを記録する際の光ビームの記録用パワーを最適に調整する調整処理を行なうディスク記録再生装置を提供する。【解決手段】光ディスク装置１は、光ディスク１ａ上のＰＣＡ領域に記録されたデータをピックアップ１１が再生した場合にＲＦ信号生成部１２が生成するＲＦ信号に基づいて、ＯＰＣ処理部１３がＯＰＣ処理を行なう。ＯＰＣ処理部１３によるＯＰＣ処理が正常に終了しなかった場合、制御部１０は、失敗したＯＰＣ処理を行なった領域から所定の領域に対して所定の記録用パワーでの記録処理を行なう。その後、制御部１０は、次の領域においてＯＰＣ処理を再開する。【選択図】図１
2008041148.tif 000002
【特許請求の範囲】
【請求項１】
螺旋状又は同心円状のトラックが形成されたディスク形状の記録媒体上に光ビームを照射させてデータを記録する記録手段と、該記録手段が記録したデータを再生して再生信号を出力する再生手段と、該再生手段が出力した再生信号に基づいて、データを記録する際の前記光ビームの記録用パワーを最適に調整する調整処理を行なう調整手段とを備えるディスク記録再生装置において、
前記調整手段による調整処理が正常に終了したか否かを判断する判断手段と、
該判断手段による判断結果が否である場合、正常に終了しなかった調整処理のために前記記録手段が前記データを記録したトラックから所定数離隔したトラックにデータの記録位置を変更する位置変更手段と
を備え、
前記記録手段は、前記判断手段による判断結果が否である場合、前記位置変更手段が変更した記録位置にデータを記録するように構成してあることを特徴とするディスク記録再生装置。
【請求項２】
前記記録手段は、前記判断手段による判断結果が否である場合、正常に終了しなかった調整処理のためにデータを記録した記録位置から、前記位置変更手段が変更した記録位置までの領域に、所定の記録用パワーの光ビームでデータを記録するように構成してあることを特徴とする請求項１に記載のディスク記録再生装置。
【発明の詳細な説明】
【技術分野】
【０００１】
本発明は、ディスク形状の記録媒体上に光ビームを照射させてデータを記録し、記録したデータを再生するディスク記録再生装置に関するものである。
【背景技術】
【０００２】
ＤＶＤ−Ｒ、ＤＶＤ−ＲＷ、ＤＶＤ＋ＲＷ、ＤＶＤ−ＲＯＭ、ＣＤ−Ｒ及びＣＤ−ＲＷ等の光ディスク上に光ビームを用いて情報を書き込む光ディスク装置は、光ディスク上に情報を書き込む際、最適な記録用パワーを決定するためにＯＰＣ（Optimum Power Control）処理を行なうように構成されている。ＯＰＣ処理とは、光ディスク上に予め設けられたテスト領域に対して、記録用パワーを段階的に変化させつつテストパターンの書き込みを行ない、書き込まれたテストパターンを読み出して再生することにより得られたＲＦ（Radio Frequency）信号に基づいて最適な記録用パワーを決定する処理のことである。このようなＯＰＣ処理によって決定された最適な記録用パワーで光ディスクへの書き込みを行なうことにより、各別の光ディスクにおける記録感度のばらつき、光ディスクと光ディスク装置の光ピックアップとの特性の相違、周辺温度等を考慮した最適な条件での書き込み処理が可能になり、光ディスク上に書き込まれた情報の信頼性を確保することができる。
【０００３】
特許文献１及び特許文献２には、光ディスク上のテスト領域に書き込まれたテストパターンを再生して得られたＲＦ信号の最大値及び最小値から算出したβ値に基づいて、最適な記録用パワーを決定するＯＰＣ処理を行なう構成の光ディスク装置が開示されている。具体的には、予め設定された最適なβ値が予めメモリに格納されている。そして、ピックアップの記録用パワーを段階的に変化させた場合、それぞれに応じて得られるＲＦ信号の最大値及び最小値に基づいて算出したβ値と、メモリに格納されている最適なβ値とを比較することにより最適な記録用パワーを特定することができる。このように特定された記録用パワーが以降の記録処理に用いられる。
【特許文献１】特開２００３−０９１８５２号公報
【特許文献２】特開２００２−２８８８３３号公報
【発明の開示】
【発明が解決しようとする課題】
【０００４】
図４は従来のＯＰＣ処理を説明するための説明図であり、図４（ａ）及び（ｂ）はそれぞれ光ディスク上に設定されたテスト領域を模式的に示している。なお、光ディスク上には同心円状のトラックが形成されており、上述したようなＯＰＣ処理は、テスト領域における外周側のトラックから内周側のトラックへ、螺旋状にデータの記録処理を行なっている。図４（ａ）及び（ｂ）はＯＰＣ処理の際にデータが記録される領域を直線状に表示している。従って、光ディスク装置において、ＯＰＣ処理は、図４中の白抜き矢符Ｂで示すように光ディスクの外周側から内周側へ向かう方向に、所定の領域に対して順次行なわれる。図４（ａ）中４０１はＮ回目のＯＰＣ処理における領域を、４０２はＮ＋１回目のＯＰＣ処理における領域を、４０３はＮ＋２回目のＯＰＣ処理における領域をそれぞれ示している。
【０００５】
ここで、上述したようなＯＰＣ処理において、何らかの原因で、ＲＦ信号に基づいて算出したβ値によっては、予めメモリに格納されている最適なβ値に基づいて最適な記録用パワーを特定できず、正常に終了できない場合がある。例えば、光ディスク上の塵埃、汚れ又は傷等が付着している領域に対してＯＰＣ処理を行なった場合、ＲＦ信号に基づくβ値が予め設定されている最適なβ値を取らない虞がある。図４においては、図４（ｂ）中４００が光ディスク上の塵埃、汚れ又は傷等を示しており、領域４０２に対して行なったＯＰＣ処理は正常に終了しなかったことを示している。
【０００６】
ＯＰＣ処理が正常に終了できなかった場合、正常に終了できなかったＯＰＣ処理を行なった領域４０２の次の領域４０３において再度ＯＰＣ処理を行なって最適な記録用パワーを決定するが、上述したように光ディスク上の塵埃、汚れ又は傷等が原因でＯＰＣ処理が正常に終了できない場合には、同一トラック上の隣り合う領域４０３に対するＯＰＣ処理も、光ディスク上の塵埃、汚れ又は傷等の影響によって正常に終了できない可能性が高い。また、同一トラック上の隣り合う領域ではなくても、近隣のトラックにおける領域４０２の近傍の領域においても、光ディスク上の塵埃、汚れ又は傷等の影響を受けてＯＰＣ処理が正常に終了しない可能性が高い。従って、光ディスク上に塵埃、汚れ又は傷等が付着している場合、連続する複数回のＯＰＣ処理に亘って正常に終了できず、また、複数のトラックに亘ってＯＰＣ処理が正常に終了できず、ＯＰＣ処理の効率が低下する虞があるという問題を有している。
【０００７】
また、特許文献２で開示された装置は、ＯＰＣ処理が正常に終了しなかった場合、ＯＰＣ処理を再度実行するのではなく、ＲＦ信号に基づいて最適な記録用パワーを算出する構成を有している。しかし、上述したように光ディスク上の塵埃、汚れ又は傷等が原因でＯＰＣ処理が正常に終了できなかった場合、このときのＲＦ信号に基づいて最適な記録用パワーを算出することは非常に困難であるという問題を有している。
【０００８】
本発明は斯かる事情に鑑みてなされたものであり、その目的とするところは、光ディスク上の塵埃、汚れ又は傷等による光ビームの記録用パワーの調整処理への影響を軽減し、安定した調整処理を行ない、より最適な記録用パワーでの書き込み処理が可能なディスク記録再生装置を提供することにある。
【０００９】
本発明の他の目的は、何らかの原因で調整処理が正常に行なえなかった領域を、通常の調整処理に用いられた領域とは明確に区別することが可能なディスク記録再生装置を提供することにある。
【課題を解決するための手段】
【００１０】
本発明に係るディスク記録再生装置は、螺旋状又は同心円状のトラックが形成されたディスク形状の記録媒体上に光ビームを照射させてデータを記録する記録手段と、該記録手段が記録したデータを再生して再生信号を出力する再生手段と、該再生手段が出力した再生信号に基づいて、データを記録する際の前記光ビームの記録用パワーを最適に調整する調整処理を行なう調整手段とを備えるディスク記録再生装置において、前記調整手段による調整処理が正常に終了したか否かを判断する判断手段と、該判断手段による判断結果が否である場合、正常に終了しなかった調整処理のために前記記録手段が前記データを記録したトラックから所定数離隔したトラックにデータの記録位置を変更する位置変更手段とを備え、前記記録手段は、前記判断手段による判断結果が否である場合、前記位置変更手段が変更した記録位置にデータを記録するように構成してあることを特徴とする。
【００１１】
本発明によれば、ディスク記録再生装置が、螺旋状又は同心円状のトラックが形成されたディスク形状の記録媒体上に記録したデータを再生して出力した再生信号に基づいて、データを記録する際の光ビームの記録用パワーを最適に調整する調整処理を行なっており、この調整処理が正常に終了できなかった場合、この調整処理のためにデータを記録したトラックから所定数離隔したトラックにデータの記録位置を変更し、変更した記録位置に次の調整処理のためのデータを記録する。よって、記録用パワーの調整処理が正常に終了しなかった場合に、所定の間隔を隔てたトラックに記録されたデータを再生して出力した再生信号に基づいて調整処理を行なうので、例えば、記録媒体上の塵埃、汚れ又は傷等が原因で調整処理が正常に終了できなかった場合に、この塵埃、汚れ又は傷等を回避して次の調整処理を行なうことが可能となる。
【００１２】
本発明に係るディスク記録再生装置は、前記記録手段は、前記判断手段による判断結果が否である場合、正常に終了しなかった調整処理のためにデータを記録した記録位置から、前記位置変更手段が変更した記録位置までの領域に、所定の記録用パワーの光ビームでデータを記録するように構成してあることを特徴とする。
【００１３】
本発明によれば、ディスク記録再生装置が、光ビームの記録用パワーの調整処理を正常に終了できなかった場合、正常に終了できなかった調整処理のためにデータを記録した記録位置から、次の調整処理のためにデータを記録する記録位置までの領域に、所定の記録用パワーの光ビームでデータを記録する。よって、何らかの原因で調整処理が正常に行なえなかった領域の近傍の領域を、通常の調整処理に用いられた領域とは明確に区別することが可能となる。
【発明の効果】
【００１４】
本発明では、ディスク記録再生装置が、光ビームの記録用パワーを最適に調整する調整処理を正常に終了できなかった場合、正常に終了できなかった調整処理のためにデータが記録されたトラックから所定数離隔したトラックにおいて調整処理を再度行なう。これにより、例えば、記録媒体上の塵埃、汚れ又は傷等が原因で調整処理が正常に終了できなかった場合に、この塵埃、汚れ又は傷等を回避して次の調整処理を行なうことができる。よって、記録媒体上の塵埃、汚れ又は傷等による調整処理への影響を軽減し、安定した調整処理を行なうことができ、記録媒体上に書き込まれた情報の信頼性をより安定に確保することができる。
【００１５】
本発明では、ディスク記録再生装置が、正常に終了できなかった調整処理のためにデータが記録された記録位置から、次の調整処理のためにデータを記録する記録位置までの領域に、所定の記録用パワーの光ビームでデータを記録する。よって、何らかの原因で調整処理が正常に行なえなかった領域の近傍の領域を、通常の調整処理に用いられた領域とは明確に区別することができ、調整処理が正常に行なえなかった領域に対する更なる調整処理の実行を回避できると共に、記録媒体における分析及び解析等に利用することができる。
【発明を実施するための最良の形態】
【００１６】
以下に、本発明に係るディスク記録再生装置を、その実施の形態である光ディスク装置を示す図面に基づいて詳述する。図１は本発明に係るディスク記録再生装置としての光ディスク装置の要部構成例を示すブロック図であり、図中１は本発明のディスク記録再生装置としての光ディスク装置を示している。
【００１７】
なお、本実施形態では、ピックアップ１１からのレーザ光（光ビーム）のみにより光ディスク１ａにデータの記録再生処理を行なう光ディスク装置１を例として説明する。但し、本発明は、レーザ光を用いてディスク形状の記録媒体にデータを記録再生するものであればよい。例えば、ピックアップ１１からのレーザ光と磁気ヘッドからの磁界とにより光磁気ディスクにデータを記録再生する光磁気ディスク記録再生装置にも本発明を適用することができる。従って、記録媒体としては、ＣＤ−Ｒ、ＣＤ−ＲＷ、ＤＶＤ−Ｒ、ＤＶＤ−ＲＷ、ＤＶＤ−ＲＡＭ、ＤＶＤ＋ＲＷ等の光ディスク、ＭＯ等の光磁気ディスクを用いることができる。
【００１８】
本実施形態の光ディスク装置１は、図示しない載置トレイに載置された光ディスク１ａを回転させる回転駆動部１４、回転駆動部１４によって回転駆動している光ディスク１ａの表面にレーザ光を照射させてデータの記録再生処理を行なうピックアップ１１、光ディスク１ａ上に記録されたデータをピックアップ１１が再生出力する電気信号からＲＦ信号を生成するＲＦ信号生成部１２、ＲＦ信号生成部１２によって生成されたＲＦ信号に基づいてＯＰＣ処理を行なうＯＰＣ処理部１３等を備えている。
【００１９】
また、光ディスク装置１は、ＲＯＭ及びＲＡＭが内蔵されたＣＰＵ（Central Processing Unit ）又はＭＰＵ（Micro Processor Unit）等で構成された制御部１０を備えている。制御部１０は、上述したようなハードウェア各部の動作を制御すると共に、自身に内蔵されたＲＯＭに予め格納されている制御プログラムを適宜ＲＡＭに読み出して実行する。ＲＯＭには、光ディスク装置１を本発明に係るディスク記録再生装置として動作させるために必要な種々の制御プログラムが予め格納されている。ＲＡＭはＳＲＡＭ又はフラッシュメモリ等で構成されており、制御部１０による制御プログラムの実行時に発生するデータを一時的に記憶する。
【００２０】
回転駆動部１４は、光ディスク１ａを回転させるモータ、制御部１０による制御に従ってモータを駆動させるモータ駆動回路等を備えている。このような回転駆動部１４は、制御部１０からの指示に従って、光ディスク１ａを定角速度（ＣＡＶ：Constant Angular Velocity）又は定線速度（ＣＬＶ：Constant Linear Velocity）で回転させる。
【００２１】
ピックアップ（記録手段、再生手段）１１は、光ディスク１ａに対向配置されており、光ディスク１ａの表面にレーザ光を照射するレーザダイオード、レーザダイオードを駆動させるレーザダイオード駆動回路等を備えている。ピックアップ１１は、データを光ディスク１ａ上に記録する際には記録用パワーのレーザ光を、光ディスク１ａ上のデータを再生する際には再生用パワーのレーザ光をそれぞれ照射する。制御部１０が回転駆動部１４及びピックアップ１１を適切に制御することにより、光ディスク装置１は、回転駆動部１４が回転させている光ディスク１ａ上の適切なアドレスに対して、ピックアップ１１によるデータの記録処理又は再生処理を行なうことができる。
【００２２】
光ディスク装置１が光ディスク１ａからデータを再生する場合、ピックアップ１１は、自身が照射したレーザ光の光ディスク１ａからの反射光を電気信号に変換してＲＦ信号生成部１２へ出力する。また、光ディスク装置１が光ディスク１ａへデータを記録する場合、制御部１０は、最適な記録条件として予め設定された記録パルス幅、記録用パワー等に基づいて、光ディスク１ａに記録すべきデータに応じた記録パルスを生成してピックアップ１１へ出力する。そして、ピックアップ１１は、制御部１０から出力された記録パルスに従ってレーザ光を照射し、光ディスク１ａ上の適切なアドレスへデータの記録処理を行なう。
【００２３】
ＲＦ信号生成部１２は、ピックアップ１１から出力された電気信号に対して増幅処理を行ない、増幅した電気信号に所定の閾値電圧に基づいて２値化処理する。また、ＲＦ信号生成部１２は、２値化処理によって得られた２値化信号に対してＰＬＬ（Phase Locked Loop）回路によるクロック検出処理を行ない、検出したクロック信号に基づいて２値化信号を復号処理することにより、再生信号であるＲＦ信号を生成する。このようにして得られたＲＦ信号はＯＰＣ処理部１３へ出力される。更に、ＲＦ信号生成部１２は、ピックアップ１１によるデータの再生処理の際のノイズ、光ディスク１ａ上の傷又は汚れ等により発生したデータの誤り（エラー）を検出する処理を行なっており、誤り訂正が可能な場合にはデータの訂正処理も行なう。
【００２４】
ＯＰＣ処理部１３は、ピックアップ１１が最適な記録用パワーのレーザ光を照射するためのＯＰＣ処理における各種の処理を行なう。具体的には、光ディスク１ａ上に予め設定されたＰＣＡ（Power Calibration Area）領域（テスト領域）に対して、ピックアップ１１が、記録条件を段階的に変化させつつ記録処理を行なった後、このＰＣＡ領域に記録されたデータの再生処理を行なった場合にＲＦ信号生成部１２が生成したＲＦ信号に基づいて、ＯＰＣ処理部（調整手段）１３が最適な記録用パワーを決定するＯＰＣ処理（調整処理）を行なう。
【００２５】
より具体的には、ＯＰＣ処理部１３は、光ディスク１ａ上のＰＣＡ領域に記録されたデータを再生して得られたＲＦ信号に対して、それぞれの記録条件毎に、所定期間内における最大値Ａ１及び最小値Ａ２を以下の式１に代入することによりβ値を算出する。また、図示しないメモリには、予め設定された最適なβ値が格納されている。従って、ＯＰＣ処理部１３は、それぞれの記録条件毎に算出した各β値と、メモリに格納されている最適なβ値とを比較することにより、最適な記録用パワーを特定することができる。
【００２６】
β＝（Ａ１＋Ａ２）／（Ａ１−Ａ２）  …（式１）
【００２７】
このようにして特定された記録用パワーは、光ディスク１ａに対して最適な記録用パワーであり、この記録用パワーは所定のメモリに格納され、光ディスク１ａに対する以降の記録処理の際に用いられる。なお、光ディスク装置１が、光ディスク１ａ上へのデータの書き込み処理を行ないつつ、上述したように記録用パワーを逐次調整するランニングＯＰＣ処理を行なう構成の場合、上述のように特定された記録用パワーは、光ディスク１ａ上の対応する領域に対する記録処理の際に用いられる。
【００２８】
また、ＯＰＣ処理部１３は、ピックアップ１１が光ディスク１ａ上のＰＣＡ領域の再生処理を行なった場合に、ＲＦ信号生成部１２による２値化処理によって得られた２値化信号と、ＰＬＬ回路によるクロック検出処理によって検出されたクロック信号との位相差に基づいてＲＦ信号のジッタ値を算出し、算出したジッタ値に基づいて最適な記録用パワーを決定してもよい。具体的には、ＯＰＣ処理部１３は、ＯＰＣ処理のために段階的に設定された記録用パワーのそれぞれに対応するジッタ値を算出し、算出したジッタ値が、例えば最小値となる記録用パワーを最適な記録用パワーに決定する。なお、光ディスク装置１にジッタ測定部を別途に設け、ジッタ測定部によってジッタ値を測定するようにしてもよい。
【００２９】
このようにＲＦ信号におけるβ値又はジッタ値に基づいて決定された最適な記録用パワーに基づいて、制御部１０が、光ディスク１ａに記録すべきデータに応じた記録パルスを生成し、ピックアップ１１が、制御部１０によって生成された記録パルスに従ってレーザ光を照射して光ディスク１ａへデータの記録処理を行なうことにより、光ディスク１ａ上に書き込まれたデータの信頼性を確保することができる。
【００３０】
ここで、本実施形態の光ディスク装置１において、ＯＰＣ処理部１３は、ＲＦ信号に基づいて算出したそれぞれの記録パワーに応じたβ値が、予めメモリに格納されている最適なβ値とならない場合、ＯＰＣ処理が正常に終了しなかったとして、その旨を制御部１０へ通知する。制御部１０は、ＯＰＣ処理部１３からの通知に従って、ＯＰＣ処理が正常に終了したか否かを判断する判断手段として動作する。ＯＰＣ処理が正常に終了しない場合としては、例えば、光ディスク１ａ上の塵埃、汚れ又は傷等が付着している領域に対してＯＰＣ処理を行なった場合がある。
【００３１】
図２は本発明に係る光ディスク装置１によるＯＰＣ処理を説明するための説明図である。図２は、光ディスク１ａを模式的に示すと共に、光ディスク１ａ上に設定されたＰＣＡ領域の一部を拡大表示している。光ディスク１ａ上には、同心円状（螺旋状）のトラックが形成されており、本実施形態の光ディスク装置１は、光ディスク１ａ上のＰＣＡ領域において、光ディスク１ａの外周側のトラックから内周側のトラックの順に、螺旋状にＯＰＣ処理を順次実行する。各トラックについては、図２中の白抜き矢符Ａで示す方向にＯＰＣ処理を実行する。なお、図２中の破線は、光ディスク１ａ上の各トラックにおいて、それぞれのＯＰＣ処理に用いられる領域（記録位置）を模式的に示している。
【００３２】
また、図２中１０１はＮ回目のＯＰＣ処理における領域を、１０２はＮ＋１回目のＯＰＣ処理における領域を、１０４はＮ＋２回目のＯＰＣ処理における領域をそれぞれ示している。また、図２中１００は光ディスク１ａ上の塵埃、汚れ又は傷等（以下、代表して塵埃という）を示しており、領域１０２に対して行なったＯＰＣ処理は正常に終了しなかったものとする。
【００３３】
本実施形態の光ディスク装置１では、上述したようにＯＰＣ処理が正常に終了しなかった場合、即ち何らかの原因でＯＰＣ処理が失敗した場合、制御部１０は、失敗したＯＰＣ処理を行なった領域１０２から、この領域１０２のトラックから所定数、図２においては２つ内周側のトラックにおける領域１０４に記録位置を変更する位置変更手段として動作する。従って、制御部１０は、このように記録位置を変更した領域１０４に対して次のＯＰＣ処理をＯＰＣ処理部１３に実行させる。
【００３４】
なお、制御部１０は、失敗したＯＰＣ処理を行なった領域１０２から、次にＯＰＣ処理を行なう領域１０４までの領域１０３（図２においてはハッチングを付加した部分）に対して、予め設定された所定の記録用パワーのレーザ光による記録処理をピックアップ１１によって実行しており、この領域１０３への記録処理が終了した後に、領域１０４に対する次のＯＰＣ処理におけるデータの記録処理をピックアップ１１によって実行する。
【００３５】
ここで、光ディスク１ａには、光ディスク１ａにデータを記録する際に必要な各種の情報が予め製造メーカによって記録されており、前述の予め設定された所定の記録用パワーとは、このように製造メーカによって光ディスク１ａに予め記録された記録用パワーを用いる。なお、前述の予め設定された記録用パワーとしては、失敗したＯＰＣ処理よりも以前に正常に実行されたＯＰＣ処理によって決定された最適な記録用パワーを用いてもよい。また、予め設定された所定の記録用パワーでの記録処理を行なう領域１０３は、失敗したＯＰＣ処理を行なった領域１０２のトラックと、次のＯＰＣ処理を行なう領域１０４のトラックとが所定数離隔する程度の大きさを有していればよく、例えば、５ＥＣＣブロック（１ＥＣＣブロックは１６セクタ）分の領域とする。なお、この領域の大きさは、例えば制御部１０のＲＯＭ等に予め格納してある。
【００３６】
これにより、光ディスク１ａ上の塵埃１００が原因で領域１０２に対するＮ＋１回目のＯＰＣ処理が失敗した場合に、領域１０２から５ＥＣＣブロック分の領域１０３を隔てた領域１０４、即ち、領域１０２のトラックから２つ内周側のトラックの領域１０４に対してＮ＋２回目のＯＰＣ処理を行なうので、塵埃１００によってＮ＋２回目のＯＰＣ処理が失敗する可能性は非常に低い。よって、光ディスク１ａ上に塵埃１００が付着している場合であっても、ＯＰＣ処理が連続して失敗することを防止し、安定したＯＰＣ処理を可能とし、光ディスク１ａ上に書き込まれたデータの信頼性をより安定に確保することができる。また、領域１０２に対するＮ＋１回目のＯＰＣ処理が失敗した場合に、領域１０３に対して予め設定された記録用パワーのレーザ光による記録処理を行なうことにより、ＯＰＣ処理を失敗した領域１０２とその近傍の領域１０３を、正常に終了したＯＰＣ処理を行なった領域１０１，１０４と明確に区別することができる。
【００３７】
以下に、上述した構成の光ディスク装置１において、ＯＰＣ処理によって最適な記録用パワーを設定する処理について説明する。図３は本発明に係る光ディスク装置１における最適な記録用パワーの設定処理の手順を示すフローチャートである。なお、以下の処理は、制御部１０に内蔵されたＲＯＭに予め格納されている制御プログラムに従って制御部１０によって実行される。
【００３８】
光ディスク装置１において、制御部１０は、光ディスク１ａ上に予め設定されたＰＣＡ領域に対してピックアップ１１による記録処理を行ない、このＰＣＡ領域に記録されたデータをピックアップ１１が読み出して再生した場合に、ＲＦ信号生成部１２によって生成されたＲＦ信号に基づいて、ＯＰＣ処理部１３によるＯＰＣ処理を実行する（Ｓ１）。制御部１０は、ＯＰＣ処理部１３からの通知に従って、ＯＰＣ処理が正常に終了したか否かを判断し（Ｓ２）、ＯＰＣ処理が正常に終了したと判断した場合（Ｓ２：ＹＥＳ）、このＯＰＣ処理によって決定した記録用パワーを最適な記録用パワーとして自身のＲＡＭに記憶することにより設定し（Ｓ３）、以降の記録処理に用いる。
【００３９】
制御部１０は、ＯＰＣ処理が正常に終了しなかったと判断した場合（Ｓ２：ＮＯ）、予め設定された所定の記録用パワーでの記録処理をピックアップ１１によって実行する（Ｓ４）。制御部１０は、所定領域、例えば５ＥＣＣブロック分の領域に対する所定の記録用パワーによる記録処理が終了したか否かを判断し（Ｓ５）、終了していないと判断した場合（Ｓ５：ＮＯ）、ステップＳ４へ処理を戻し、所定の記録用パワーでの記録処理を継続する（Ｓ４）。
【００４０】
制御部１０は、所定領域に対する記録処理が終了したと判断した場合（Ｓ５：ＹＥＳ）、ステップＳ１へ処理を戻し、ＯＰＣ処理を再度実行する（Ｓ１）。なお、具体的には、制御部１０は、光ディスク１ａ上のＰＣＡ領域に対してピックアップ１１によって記録処理を行ない、このＰＣＡ領域に記録されたデータをピックアップ１１が読み出して再生した場合に、ＲＦ信号生成部１２によって生成されたＲＦ信号に基づいて、ＯＰＣ処理部１３によって最適な記録用パワーを決定する。
【００４１】
制御部１０は、上述したように決定した最適な記録用パワーを自身のＲＡＭに格納しておき、以降の記録処理の際に、この最適な記録用パワーに基づいて、光ディスク１ａに記録すべきデータに応じた記録パルスを生成してピックアップ１１へ出力する。これにより、制御部１０から出力された記録パルスに従って、ピックアップ１１が最適な記録用パワーでのレーザ光を照射するので、光ディスク１ａ上に記録されたデータの信頼性を安定に確保することができる。
【００４２】
上述したように、本実施形態の光ディスク装置１では、ＯＰＣ処理が正常に終了できなかった場合、失敗したＯＰＣ処理を行なった領域１０２から５ＥＣＣブロック分の領域１０３を隔てた領域１０４、即ち、領域１０２のトラックから２つ内周側のトラックの領域１０４に対して次のＯＰＣ処理を行なうことにより、例えば塵埃１００によってＯＰＣ処理が失敗した場合であっても、次のＯＰＣ処理が失敗する可能性を低減することができる。また、失敗したＯＰＣ処理を行なった領域１０２から５ＥＣＣブロック分の領域１０３に対して所定の記録用パワーでの記録処理を行なうことにより、ＯＰＣ処理を失敗した領域１０２及びその近傍の領域１０３を、正常に終了したＯＰＣ処理を行なった領域１０１，１０４と明確に区別することができる。
【００４３】
上述した実施形態では、ＲＦ信号の所定期間内におけるβ値に基づいて最適な記録用パワーを決定するＯＰＣ処理を行なう構成の光ディスク装置１を例として説明した。しかし、ＲＦ信号の所定時間内におけるジッタ値に基づくＯＰＣ処理を行なう構成の光ディスク装置１においては、算出したジッタ値が本来取り得る値とならない場合、ＯＰＣ処理が正常に終了しなかったとし、失敗したＯＰＣ処理を行なった領域から所定領域（上述した実施形態では５ＥＣＣブロック分の領域）を隔てた領域に対して次のＯＰＣ処理を行なうように構成すればよい。
【００４４】
また、上述した実施形態では、ＯＰＣ処理が正常に終了しなかった場合、５ＥＣＣブロック分の領域１０３に対する所定の記録用パワーでの記録処理を行なった後に、領域１０４に対して次のＯＰＣ処理を行なう構成の光ディスク装置１について説明した。しかし、領域１０２に対するＯＰＣ処理が正常に終了しなかった場合、領域１０２から５ＥＣＣブロック分の領域１０３を隔てた領域１０４に対する次のＯＰＣ処理を先に行なった後に、領域１０３に対する記録処理を行なうように光ディスク装置１を構成してもよい。例えば、光ディスク装置１に光ディスク１ａを装着した際の初期処理として実行されるＯＰＣ処理において、このＯＰＣ処理が終了した場合に、領域１０３に対する記録処理を行なえばよい。
【００４５】
更に、上述した実施形態の光ディスク装置１は、ＯＰＣ処理が正常に終了しなかった領域１０２から所定の５ＥＣＣブロック分の領域１０３を隔てた領域１０４に対して次のＯＰＣ処理を行なう。しかし、領域１０２においてＯＰＣ処理が正常に終了しなかった場合、領域１０２から内周側に所定数（図２においては１つ）のトラックを離隔したトラックにおける領域１０４を次のＯＰＣ処理のための領域としてもよい。この場合、ＯＰＣ処理が正常に終了しなかった領域１０２から確実に所定数のトラックを離隔したトラックにおいて次のＯＰＣ処理を行なうことができ、次のＯＰＣ処理において光ディスク１ａ上の塵埃、汚れ又は傷等の影響をより確実に回避することができる。
【図面の簡単な説明】
【００４６】
【図１】本発明に係るディスク記録再生装置としての光ディスク装置の要部構成例を示すブロック図である。
【図２】本発明に係る光ディスク装置によるＯＰＣ処理の説明図である。
【図３】本発明に係る光ディスク装置における最適な記録用パワーの設定処理の手順を示すフローチャートである。
【図４】従来のＯＰＣ処理の説明図である。
【符号の説明】
【００４７】
１  光ディスク装置（ディスク記録再生装置）
１ａ  光ディスク（記録媒体）
１０  制御部（判断手段、位置変更手段）
１１  ピックアップ（記録手段、再生手段）
１３  ＯＰＣ処理部（調整手段）
【図１】
2008041148.tif 000003
【図２】
2008041148.tif 000004
【図３】
2008041148.tif 000005
【図４】
2008041148.tif 000006